(57)【要約】【課題】簡便にセキュリティー強度を上げた認証装置を提供する。【解決手段】音声再生手段で再生された音声の特定部分を指定するための入力手段と、入力手段で指定された音声の再生情報からパスワードに変換する認証入力変換手段と、認証入力変換手段での変換後の１回以上の入力をパスワードとして認識し、入力手段からの特定入力または音声再生手段で再生される音声が終了することで、パスワードの入力が終了し、設定される認証設定手段と、認証設定手段により設定されたパスワードを記憶する認証情報保存手段と、認証情報保存手段により保存されたパスワードと入力手段を介して認証入力変換手段で変換されたパスワードが一致するかを、音声再生の時間軸上で特定の時間幅を持たせて判定する認証判定手段と、認証設定手段によるパスワード設定、または認証判定手段によるパスワード判定の動作モードを制御する動作モード制御手段とを備える。【選択図】図１
2009093256.tif 000002
【特許請求の範囲】
【請求項１】
音声を再生する音声再生手段と、前記音声再生手段で再生された音声の特定部分を指定するための入力手段と、前記入力手段で指定された音声の再生情報からパスワードに変換する認証入力変換手段と、前記認証入力変換手段での変換後の１回以上の入力をパスワードとして認識し、前記入力手段からの特定入力または前記音声再生手段で再生される音声が終了することで、パスワードの入力が終了し、設定される認証設定手段と、前記認証設定手段により設定されたパスワードを記憶する認証情報保存手段と、前記認証情報保存手段により保存されたパスワードと前記入力手段を介して前記認証入力変換手段で変換されたパスワードが一致するかを、音声再生の時間軸上で特定の時間幅を持たせて判定する認証判定手段と、前記認証設定手段によるパスワード設定、または前記認証判定手段によるパスワード判定の動作モードを制御する動作モード制御手段とを備えたことを特徴とする認証装置。
【請求項２】
音声データのタイムコードをパスワードとする認証入力変換手段を備えたことを特徴とする請求項１に記載の認証装置。
【請求項３】
再生された音声が他者に聞こえないようにするヘッドフォンをさらに備えたことを特徴とする請求項１または請求項２に記載の認証装置。
【請求項４】
入力手段によるタイミングを他者に見られないようにするための遮蔽手段を備えたことを特徴とする請求項１または請求項２に記載の認証装置。
【請求項５】
入力手段によるタイミングを他者に見られないようにするための遮蔽手段をさらに備えたことを特徴とする請求項３に記載の認証装置。
【請求項６】
ヘッドフォンを骨伝導型とした請求項３または請求項５に記載の認証装置。
【発明の詳細な説明】
【技術分野】
【０００１】
本発明は、音声を利用した個人特定、使用権限確認を行い、不正利用を防止するための認証技術に関する。
【背景技術】
【０００２】
従来の認証システムは、高度なものでは音声認識（特開２００１−７５９６５公報）や指紋や静脈認証等があるが、一般的には文字によるパスワードでの認証が主流である。
【０００３】
特開２００１−７５９６５公報では、音声の特徴（例えば、アクセント、音質、声紋など）を抽出し、登録された音声の特徴と照合する。それによって、話者が本人であるか否かが判定・認証される技術を開示している。
【０００４】
特許第３７０９４９１号公報では、ゲーム装置がリズム入力を受付ける状態で特定のキーやスティック等により、リズム入力によってパスワードや特定機能キーと同様の働きをさせるようにし、リズム入力操作により、単一のスイッチや操作レバーでパスワードや隠し命令等を入力できる技術を開示している。
【特許文献１】特開２００１−７５９６５号公報
【特許文献２】特許第３７０９４９１号公報
【発明の開示】
【発明が解決しようとする課題】
【０００５】
しかしながら、従来の技術では、近年情報化社会が発達するにしたがいセキュリティーがより求められるようになる一方で、一般的な文字入力でのパスワードによる認証では、記憶しやすいよう生年月日や電話番号等安易に推測できるパスワードの使用により他者に不正使用されるケースや、頻繁に変更することを要求される最近の傾向でのパスワード忘却によるトラブル、銀行ＡＴＭでのビデオカメラ等によりパスワード入力を撮影されることによる不正使用されるケース等安心できるものではなくなってきている。
【０００６】
また、音声認識や指紋や静脈認証等生体認証があるが、高度な画像音声処理が必要なため、高性能プロセッサが必要で高価なものとなってしまう。怪我により入力判定ができないケースもあり、代理入力もできないため個人特定には厳格な反面運用上のイレギュラー対応には融通が利かないという一面もあわせ持つ。
【０００７】
本発明の目的は、厳格な個人特定まで行わなくとも認証が行え、個人の好みでパスワードを忘却しにくく、他者にパスワードを盗まれにくくすることができる簡便にセキュリティー強度を上げた認証装置を提供することである。
【課題を解決するための手段】
【０００８】
本発明の認証装置は、記録媒体に記録されたデータストリームを再生する。データストリームは、再生されて視聴の対象となる音声データおよび音声データに含まれる再生単位ごとの再生時刻を示す管理データを含む。認証装置は、音声データを再生する音声再生手段と、音声再生手段で再生された音声の特定部分を指定するための入力手段と、入力手段で指定された音声の再生情報からパスワードに変換する認証入力変換手段と、認証入力変換手段での変換後の１回以上の入力をパスワードとして認識し、入力手段からの特定入力または音声再生手段で再生される音声が終了することで、パスワードの入力が終了し、設定される認証設定手段と、認証設定手段により設定されたパスワードを記憶する認証情報保存手段と、認証情報保存手段により保存されたパスワードと入力手段を介して認証入力変換手段で変換されたパスワードが一致するかを、音声再生の時間軸上で特定の時間幅を持たせて判定する認証判定手段と、認証設定手段によるパスワード設定、または認証判定手段によるパスワード判定の動作モードを制御する動作モード制御手段とを備えている。
【０００９】
好ましい実施形態において、音声データのタイムコードをパスワードとする認証入力変換手段を備えている。
【００１０】
好ましい実施形態において、再生された音声が他者に聞こえないようにするヘッドフォンを備えている。
【００１１】
好ましい実施形態において、入力手段によるタイミングを他者に見られないようにするための遮蔽手段を備えている。
【発明の効果】
【００１２】
本発明によれば、認証方法を音声による特定部分とすることで、自分の好みのフレーズのように他人からは類推しにくく、自分には音声の特徴的な部分を指定するので容易に記憶しやすいものとできるため、従来の文字によるパスワード入力のように、自分にとって記憶しやすいものとして生年月日や電話番号等の連想しやすいものの設定によるトラブルや、複雑なものを設定して忘れてしまうトラブルの多発を防止することができるため、これからますます重要になってくるセキュリティー対策において、簡便でセキュリティー強度を維持しパスワードを忘れにくくできるため有用であるという効果を奏する。
【００１３】
さらに、音声再生中の特定部分を複数指定すれば複雑度が上る。音声であるため見た目にはパスワード入力がわからないので、文字入力のようにキーボードからの打ち込みでパスワードが盗まれることがなく、さらに入力装置からの入力タイミングも見えないよう遮蔽手段を設け、音声出力をヘッドフォン等外部に漏れないものを利用することでさらにセキュリティー強度を容易に上げることができる。
【００１４】
また、ヘッドフォンを骨伝導型とすることで耳に直接装着することなく頭部の広い部分で音声を聴くことができるため、不特定多数の利用による清潔感維持、清掃のやり易さ、水分等による故障耐力等を向上することができる。
【００１５】
また、音声なので聾唖者でも入力が可能となり、利用ユーザの範囲を広げることができる。
【００１６】
また、音声の再生タイムコードをパスワードデータとして処理する場合、人間はどうしても入力するタイミングにばらつきが生じるため、それを考慮してある特定範囲のタイムコードであれば正常検出とすることでより実用的な判定が行えるようになる。
【００１７】
また、音声の再生期間中がパスワード入力に拘束される時間となり、入力認証が完了して次のステップへ移行できることになるので、標準的な全編再生完了で入力判定を行う条件の他に、ボタン押し・マウスクリックにおける２回連続押しやダブルクリックといった即時入力完了手段を設けることで、入力完了を早く切り上げて次ステップへの移行を早く行える。
【００１８】
また、音声を再生するというステップを有することから従来のそのようなステップを持たない機器での外部からのパスワードアタックによるハッキングに対して物理的にアプローチとして不可能となるためセキュリティー強度を上げることができる。
【発明を実施するための最良の形態】
【００１９】
以下、添付図面を参照しながら、本発明の好ましい実施形態を説明する。
【００２０】
（実施形態１）
まず、本発明による認証装置の第１の実施形態を説明する。図１は、本発明の認証装置のブロック図である。音声データ蓄積部１０１は、パスワード設定および入力するためのベースとなる音声データを格納している。データ形式はリニアＰＣＭ、ＭＰ３、ＡＣ３、ＡＡＣ、ＷＡＶ、ＷＡＭ等どのような形式でもかまわない。音声再生手段１０２は、前記音声データ蓄積部１０１に格納されている音声データをアナログ音声出力へ変換再生デコードする。出力手段１０３は、前記音声再生手段１０２によりデコードされた音声出力を人間の耳で聞こえるよう音波出力する。スピーカやヘッドフォンで実現される。入力手段１０４は、パスワード入力する際のポイント指定をするための入力装置である。一般的なスイッチ、キーボード、マウス、タッチパネル、タッチペン、音声認識用マイク等どのようなものでもかまわない。認証入力変換手段１０５は、前記入力手段１０４からの入力時点の前記音声再生手段１０２によりデコードされる際のタイムコードのデータからパスワードに変換する。動作モード制御手段１０６は、初期パスワード登録時の設定モードかパスワード登録済みでの認証のための認証モードかのどちらかを選択制御する。認証情報設定手段１０７は、前記動作モード制御手段１０６が設定モードの場合前記認証入力変換手段１０５から出力されるパスワードを所定の領域への保存や暗号化等を制御する。認証情報保存手段１０８は、前記認証情報設定手段１０７から書き込み制御されるパスワードを半導体メモリー等記憶媒体へ保存する。認証判定手段１０９は、前記動作モード制御手段１０６が認証モードの場合前記認証入力変換手段１０５から出力されるパスワードと前記認証情報保存手段１０８に格納されているパスワードとを比較判定する。
【００２１】
次に、図２と合わせてパスワードを最初に登録する設定モードについて説明する。ステップ２０１で動作モード制御手段１０６により設定モードが開始されるとステップ２０２の音声の再生が開始される。音声再生手段１０２が音声データ蓄積部１０１に格納されている音声データをロードし、アナログ音声出力へ変換再生デコードを行い出力手段１０３から可聴音波として出力される。ここで再生される音声データは別途複数種類から好みにより選択設定するようにしてもよい。また、出力装置としてヘッドフォンとすれば他者に聞かれることを防止することができるのでセキュリティー強度を上げることができる。
【００２２】
ステップ２０３で再生されている音声を聴きながらパスワード設定したい自分の好みの部分で入力手段１０４により入力を行う。この入力手段１０４に他者から入力タイミングを見られないようにする遮蔽手段を設けることでセキュリティー強度を上げることができる。
【００２３】
ステップ２０４では音声データのタイムコードが変化する毎に音声再生手段１０２から認証入力変換手段１０５へ入力されるので、同時に認証入力変換手段１０５では入力手段１０４による入力から入力ポイントにおけるタイムコードを検出してパスワードの１つのデータとして動作モード制御手段１０６へ送る。動作モード制御手段１０６では動作モードが設定モードであるため認証情報設定手段１０７へ求められた１つのパスワードデータを送る。
【００２４】
ステップ２０５では入力手段１０４からの入力が入力終了のコードかどうかをチェックする。例えば、スイッチ的なものであればある特定期間中に２回入力、マウスであればダブルクリックといった操作で入力終了コードを生成する。入力終了コードであればステップ２０７へ行き、入力終了コードが入力されていなければステップ２０６の音声の再生が終了かどうかをチェックする。音声の再生が終了していなければステップ２０３から繰り返し、終了していればステップ２０７へ進む。
【００２５】
ステップ２０７では認証情報設定手段１０７により音声の再生期間中に入力された個々のパスワードが一連の一つのパスワードとして確定し、ステップ２０８としてこのパスワードを暗号化する。暗号化は一般的なものから独自のものまで特に限定されるものではない。また、個々のパスワードデータを含めどこのステップで暗号化を行ってもよいことは言うまでもない。
【００２６】
ステップ２０９ではこの暗号化されたパスワードを認証情報保存手段１０８により記憶素子や媒体に記憶保存させる。これにより一連のパスワードの初期登録が完了する。
【００２７】
次に図３と合わせて入力するパスワードと登録されたパスワードとを認証判定する認証モードについて説明する。ステップ３０１で動作モード制御手段１０６により認証モードが開始されるとステップ３０２の音声の再生が開始される。出力手段１０３までの動作は前記設定モードと同様であるので省略する。
【００２８】
ステップ３０３で再生されている音声を聴きながらパスワード設定したと考える部分で入力手段１０４により入力を行う。この入力手段１０４に他者から入力タイミングを見られないようにする遮蔽手段を設けることでセキュリティー強度を上げることができる。
【００２９】
ステップ３０４では音声データのタイムコードが変化する毎に音声再生手段１０２から認証入力変換手段１０５へ入力されるので、同時に認証入力変換手段１０５では入力手段１０４による入力から入力ポイントにおけるタイムコードを検出してパスワードの１つのデータとして動作モード制御手段１０６へ送る。動作モード制御手段１０６では動作モードが認証モードであるため認証判定手段１０９へ求められた１つのパスワードデータを送る。
【００３０】
ステップ３０５では入力手段１０４からの入力が入力終了のコードかどうかをチェックする。例えば、スイッチ的なものであればある特定期間中に２回入力、マウスであればダブルクリックといった操作で入力終了コードを生成する。入力終了コードであればステップ３０７へ行き、入力終了コードが入力されていなければステップ３０６の音声の再生が終了かどうかをチェックする。音声の再生が終了していなければステップ３０３から繰り返し、終了していればステップ３０７へ進む。
【００３１】
ステップ３０７では認証判定手段１０９により音声の再生期間中に入力された個々のパスワードが一連の一つのパスワードとして確定する。この際、人間の入力は登録時とまったく同じタイミングのポイントを再現することはまず不可能であるため、ある特定期間、例えば±０．５秒以内の入力であれば同一ポイントへの入力とみなすという処理をここで行うことによって、認証装置としての実用性を高めることができる。
【００３２】
ステップ３０８では認証情報保存手段１０８より暗号化されているパスワードをロードし暗号を復号する。
【００３３】
ステップ３０９では新たに入力されたパスワードと復号された登録パスワードとを比較し、一致すれば認証ＯＫ、一致しなければ認証ＮＧとなる。これにより一連のパスワードの認証が完了する。
【００３４】
本発明の認証装置は、各種認証を必要とされる装置、ソフトウェア等に組み込まれることで、前記発明の効果に記載された特長を備えることができるというすぐれた効果を奏する。
【産業上の利用可能性】
【００３５】
本発明の認証装置は、音声の再生期間中に入力を行うことでその入力ポイントをパスワードに変換して認証を行うものである。従来の文字によるパスワードのようにキーボード設置の面倒なところ、指紋認証や静脈認証等入力デバイスにコストをかけられないところ、聾唖者を対象とするところ、入力する場所が開放的で視覚的にパスワードが盗まれやすいところ、ネットワークに接続されておりハッキングのアタックにさらされそうなところ、音声再生機能がメイン機能として備わっている機器等において有用である。
【図面の簡単な説明】
【００３６】
【図１】本発明の認証装置の構成を示す図
【図２】本発明の認証装置のパスワード設定を行う処理の流れを示すフローチャート
【図３】本発明の認証装置のパスワード認証を行う処理の流れを示すフローチャート
【符号の説明】
【００３７】
１０１    音声データ蓄積部
１０２    音声再生手段
１０３    出力手段
１０４    入力手段
１０５    認証入力変換手段
１０６    動作モード制御手段
１０７    認証情報設定手段
１０８    認証情報保存手段
１０９    認証判定手段
【図１】
2009093256.tif 000003
【図２】
2009093256.tif 000004
【図３】
2009093256.tif 000005